(57)【要約】【課題】畳表の浮き上がりがなく、畳フロアの美観を確保することができ、つまずいて転倒するおそれもない畳床材セット１０を提供する。【解決手段】畳床材セット１０は、表面に畳表２１が配置された矩形状の畳パネル２０と、畳パネル２０の少なくとも一部の周縁に嵌合するように枠部３２を形成することにより、表面に畳パネル２０を収容する収容凹部３１が形成された木質系床基材３０とを少なくとも含む。【選択図】図１
2011246909.tif 000002
【特許請求の範囲】
【請求項１】
表面に畳表が配置された矩形状の畳パネルと、
前記畳パネルの少なくとも周縁の一部に嵌合するように枠部を形成することにより、表面に前記畳パネルを収容する収容凹部が形成された木質系床基材と、
を少なくとも含むことを特徴とする畳床材セット。
【請求項２】
前記畳パネルは、前記畳表と発泡樹脂材とが積層された積層体であることを特徴とする請求項１に記載の畳床材セット。
【請求項３】
前記畳表と発泡樹脂材との間には、防虫シートが挿入されていることを特徴とする請求項２に記載の畳床材セット。
【請求項４】
前記枠部は、前記畳パネルの対向する周縁に嵌合するように、一方向に沿って並んで形成された一対の突出部からなることを特徴とする請求項１〜３のいずれかに記載の畳床材セット。
【請求項５】
前記枠部は、前記畳パネルの全周縁に嵌合するように形成された突出部からなることを特徴とする請求項１〜３のいずれかに記載の畳床材セット。
【請求項６】
請求項１〜５のいずれかに記載の畳床材セットを用いた畳フロアの施工方法であって、
前記木質系床基材を床下地面に敷設し、該木質系床基材を床下地面に固定する工程と、
該固定した木質系床基材の収容凹部に、前記畳パネルを収容する工程と、を含むことを特徴とする畳フロアの施工方法。
【請求項７】
請求項４に記載の畳床材セットを用いた畳フロアの施工方法であって、
複数の木質系床基材の前記収容凹部が連続するように、前記木質系床基材を連結して床下地面に敷設し、該木質系床基材を床下地面に固定する工程と、
隣接する前記木質系床基材同士の連結部分を覆うように、前記木質系床基材同士の連続した収容凹部に前記畳パネルを収容する工程と、を含むことを特徴とする畳フロアの施工方法。
【請求項８】
前記木質系床基材を床下地面に固定する工程において、前記収容凹部から固定部材を前記木質系床基材に貫通させて、前記固定部材で前記木質系床基材を床下地面に固定することを特徴とする請求項６または７に記載の畳フロアの施工方法。
【請求項９】
請求項１〜５のいずれかに記載に畳床材セットからなる畳床材であって、
前記木質系床基材の収容凹部に、前記畳パネルが収容されていることを特徴とする畳床材。
【請求項１０】
請求項９に記載の畳床材を床下地面に敷設したことを特徴とする畳フロア。
【発明の詳細な説明】
【技術分野】
【０００１】
本発明は、畳表を含む畳床材セットと、これを用いた畳床材、これらを敷設した畳フロア及びその施工方法に関する。
【背景技術】
【０００２】
従来から、畳は、芯材となる板状の畳床の表面を、いぐさを編み込んだ畳表で覆い、その畳床の周縁を帯状の畳縁で縫合することにより製作されている。畳を用いたフロアは、足に負担が少ない、足裏の体温を奪われ難い、転んでも怪我をし難いなど、優れた特性を有している。このような特性は、高齢者の使用にふさわしく、団塊世代が６５歳を迎え高齢化社会が進むに従って、木質系フロアから畳フロアに移行する（リフォームする）要望が増えるものと考えられる。
【０００３】
しかしながら、畳は、他の木質系のフロアと比べて厚みが厚く、既存のフロアに畳を敷設する場合には熟練者による採寸も必要であった。特に、狭い廊下や、入隅及び出隅が多い部屋、吐き出し窓のあるリビング等に、所望の形状の畳を敷くことは容易ではなかった。
【０００４】
そこで、このような点を鑑みて、例えば、四角形状の周縁に、複数の突片と、該突片の間の湾入部とが形成された発泡樹脂プレートの表面に畳表を覆った連結用マット（畳パネル）が提案されている（例えば特許文献１参照）。
【先行技術文献】
【特許文献】
【０００５】
【特許文献１】特開２００３−３０１５９０号公報
【発明の概要】
【発明が解決しようとする課題】
【０００６】
ところで、特許文献１に記載の連結用マット（畳パネル）を用いて畳フロアを施工する場合、連結用マットの突片と湾入部とを嵌合させ、発泡樹脂プレートの裏面を床下地面に接着する。しかしながら、リフォームを行う際に、施工面となる床下地面（フローリング）に段差があった場合、畳フロアの各発泡樹脂プレートを床下地面に接着したとしても、発泡樹脂プレートが充分に床下地面に倣わず、畳パネルがわずかに浮き上がることがある。この結果、畳フロアの継ぎ目部分（突片と湾入部との嵌合部分）に段差が生じ、畳フロアの美観が損なわれ、つまずいて転倒するおそれがあった。
【０００７】
本発明は、このような問題に鑑みてなされたものであり、その目的とするところは、畳表の浮き上がりがなく、畳フロアの美観を確保することができ、つまずいて転倒するおそれもない畳床材セット、これを用いた畳床材、畳フロア、及びその施工方法を提供することにある。
【課題を解決するための手段】
【０００８】
上記課題を解決すべく、本発明に係る畳床材セットは、表面に畳表が配置された矩形状の畳パネルと、前記畳パネルの少なくとも周縁の一部に嵌合するように枠部を形成することにより、表面に前記畳パネルを収容する収容凹部が形成された木質系床基材と、を少なくとも含むことを特徴とする。
【０００９】
本発明によれば、まず、前記木質系床基材を床下地面に敷設し、畳パネルの裏面と接触する木質系床基材の収容凹部の底面が変形しないように（木質系床基材の中央部分が浮き上がらないように）、該木質系床基材を床下地面に固定することができる。これにより、木質系床基材の収容凹部の平坦な底面に畳パネルの裏面を当接させ、畳パネルを収容凹部に収容することができる。このような手順で畳床材セットを用いて畳フロアを施工することにより、畳表の浮き上がりがなく、美観が確保された畳フロアに施工することができる。また、施工時に畳パネルを収容するので、工具の接触により畳表が傷付くことを回避することができる。
【００１０】
なお、本発明に係る「畳床材セット」とは、畳パネルと木質系床基材とが分離可能な状態にある畳床材のセットをいい、「畳フロア」とは、床下地面に畳床材セットが敷設されたフロアのことをいう。また、「畳床材」とは、木質系床基材の収容凹部に、畳パネルを収容した状態の施工前の床材のことをいう。
【００１１】
また、前記畳パネルの表面に畳表が配置され、畳パネルがクッション性を有するのであれば、例えば、畳パネルには、樹脂材、織布、不織布などの繊維材を含んでもよいが、より好ましくは、畳パネルは、前記畳表と発泡樹脂材とが積層された積層体である。
【００１２】
本発明によれば、この畳パネルを用いて施工することにより、発泡樹脂材が、クッション性ばかりでなく断熱性をも有するので、足に負担が少ないばかりでなく、足裏の体温を奪い難い畳フロアを得ることができる。また、このような畳パネルを製造する際には、畳表の裏面側に発泡樹脂材の発泡樹脂を一体成形することができるので、畳表と発泡樹脂材は一体化され、これらの密着性を確保することができる。
【００１３】
さらに、畳パネルには、前記畳表と発泡樹脂材との間に、防虫シートが挿入されていることが好ましい。本発明によれば、防虫シートを挿入することにより、害虫等の発生を抑制することができる。また、防虫シートに布材、複数の孔が空いた紙材等の樹脂が浸透可能な空隙を有するシート材を用いれば、畳パネルを製造する際に、防虫シート及び畳表の裏面側に発泡樹脂材の発泡樹脂を透過することで一度に積層させることができる。
【００１４】
また、好ましい態様としては、前記枠部は、前記畳パネルの対向する周縁に嵌合するように、一方向に沿って並んで形成された一対の突出部からなる。本発明によれば、複数の木質系床基材の収容凹部が連続するように、木質系床基材を連結して床下地面に敷設し、木質系床基材を床下地面に固定することができる。これにより、隣接する木質系床基材同士の収容凹部の連結部分を覆うように、前記木質系床基材同士の連続した収容凹部に一枚の畳パネルを収容することができる。この結果、畳パネルの継ぎ目と、木質系床基材の継ぎ目をずらすことができ、木質系床基材が浮き上がったとしても、畳パネルの浮き上がりを目立たなくすることができる。
【００１５】
また、より好ましい態様としては、前記木質系床基材は長尺状であり、前記突出部は、前記木質系床基材の長手方向に沿って形成されている。本発明によれば、長手方向に木質系床基材同士を連結するように、木質系床基材を床下地面に敷設した際に、長手方向に沿って木質系床基材同士の枠部及び収容凹部のそれぞれが連続して形成される。これにより、隣接する木質系床基材同士の短手方向に沿った連結部分を覆うように、木質系床基材の双方の収容凹部に畳パネルを収容することができる。特に、短手方向に沿って突出部を形成した場合に比べて、長手方向に沿って突出部を形成した場合には、畳パネル同士の継ぎ目の長さが短くすることができる。これにより、畳パネルの意匠性を高めると共に、継ぎ目部分（見切り部分）のほつれ等が発生し難くなる。
【００１６】
また、別の態様としては、前記木質系床基材の前記枠部は、前記畳パネルの全周縁に嵌合するように形成された突出部からなることが好ましい。本発明によれば、前記木質系床基材の収容凹部に、前記畳パネルを収容して一体化された畳床材として取り扱うことができる。
【００１７】
さらに、本発明として、上述した畳床材セットを用いた畳フロアの施工方法も開示する。すなわち、本発明に係る畳床材セットを用いた畳フロアの施工方法は、前記木質系床基材を床下地面に敷設し、該木質系床基材を床下地面に固定する工程と、該固定した木質系床基材の収容凹部に、前記畳パネルを収容する工程と、を含む。
【００１８】
本発明によれば、木質系床基材を床下地面に敷設して固定するので、畳パネルの裏面と接触する木質系床基材の収容凹部の底面が変形しないように、該木質系床基材を床下地面に固定することができる。これにより、畳パネルの浮き上がりが無く、畳パネルを収容凹部に収容した畳フロアに施工することができる。また、木質系床基材の敷設・固定と、畳パネルの収容とを分けて行うので、作業時における畳パネルの畳表の養生を軽減することができる。
【００１９】
また、上述した長尺状の木質系床基材を用いて畳フロアを施工する際には、複数の木質系床基材の前記収容凹部が連続するように、前記木質系床基材を連結して床下地面に敷設し、該木質系床基材を床下地面に固定する工程と、隣接する前記木質系床基材同士の連結部分を覆うように、前記木質系床基材同士の連続した収容凹部に前記畳パネルを収容する工程と、を含むことがより好ましい。
【００２０】
本発明によれば、木質系床基材の短手方向に沿った連結部分（継ぎ目）に段差があったとしても、この連結部分を覆うように畳パネルを配置することができる。これにより、木質系床基材の継ぎ目と畳パネルとの継ぎ目とをずらして、木質系床基材の継ぎ目の段差を目立たなくすることができる。また、畳パネルは、木質系基材の継ぎ目の段差をまたぐことで、畳パネルはなだらかに傾斜するので、畳パネルの継ぎ目では段差が生じない。
【００２１】
さらに、前記木質系床基材を床下地面に固定する方法としては、例えば、木質系床基材と床下地面とを接着剤を介して固定したり、釘などの固定部材を用いて実部から木質系床基材を固定したりする方法もあるが、より好ましくは、前記収容凹部から固定部材を前記木質系床基材に貫通させて、前記固定部材で前記木質系床基材を床下地面に固定する。本発明によれば、例えば刳り抜き加工により成形される、反りが発生しやすい収容凹部の底部を、固定部材を用いて固定するので、木質系床基材の収容凹部の底面を平坦な面に保ちつつ、該木質系床基材を床下地面に固定することができる。また、実部を固定する場合には、通常、床下地面に対して斜め方向から固定部材で木質系床基材を固定しなければならない（たとえば、釘打ちを行わなければならない）ところ、収容凹部を固定する場合には、床下地面に対して垂直方向から固定部材で木質系床基材を固定することができる。このようにして、畳パネルの浮き上がりを防止することができる。
【００２２】
また、上述した木質系床基材の収容凹部に、前記畳パネルを収容して畳床材とし、これを床下地面に敷設してもよい。
【発明の効果】
【００２３】
本発明によれば、畳パネルの浮き上がりがほとんどなく、畳フロアの美観を確保することができ、つまずいて転倒するおそれもない。
【図面の簡単な説明】
【００２４】
【図１】本発明の第一実施形態に係る畳床材セットの模式的斜視図。
【図２】図１に示す畳床材セットの施工方法を説明するための模式的断面図であり（ａ）は、１つの木質系床基材の固定状態を示した図であり、（ｂ）は、複数の木質系床基材を実部を介して連結して固定した状態を示した図であり、（ｃ）は、木質系床基材の収容凹部に、畳パネルを収容する状態を示した図であり、（ｄ）は、本実施形態に係る畳フロアを説明するための図。
【図３】図２（ｄ）に示す畳フロアの上面図。
【図４】本発明の第二実施形態にかかる畳床材セットを説明するための模式的斜視図であり、（ａ）は、畳床材セットの模式的斜視図であり、（ｂ）は、その畳床材の模式的斜視図。
【図５】第一及び第二実施形態に係る畳パネルの変形例を示した模式的断面図であり、（ａ）は、畳パネルの畳表の構造を改良した変形例を示した断面図であり、（ｂ）は、（ａ）の畳パネルにさらに防虫シートを挿入した断面図であり、（ｃ）は、（ｂ）の畳パネルの製造方法を説明するための図。
【図６】第一及び第二実施形態に係る畳フロアの施工方法の変形例を示した模式的断面図であり、（ａ）は、木質系床基材に畳パネルを収容する前の断面図であり、（ｂ）は、木質系床基材に畳パネルを収容した後の断面図。
【発明を実施するための形態】
【００２５】
以下に、図面に基づき、本発明に係る畳床材セット及び畳フロアのいくつかの実施形態を説明する。図１は、本発明の第一実施形態に係る畳床材セットの模式的斜視図であり、図２は図１に示す畳床材セットの施工方法を説明するための模式的断面図であり（ａ）は、１つの木質系床基材の固定状態を示した図であり、（ｂ）は、複数の木質系床基材を実部を介して連結して固定した状態を示した図であり、（ｃ）は、木質系床基材の収容凹部に、畳パネルを収容する状態を示した図であり、（ｄ）は、本実施形態に係る畳フロアを説明するための図であり、図３は、図２（ｄ）に示す畳フロアの上面図である。
【００２６】
図１に示すように、本実施形態にかかる畳床材セット１０は、畳パネル２０と、木質系床基材３０とを少なくとも含んでいる。畳パネル２０は、長尺かつ矩形状であり、表面から順に畳表２１と発泡樹脂材２２とが積層された積層体となっている。畳表２１は、いぐさを編み込んだシート状の部材であり、発泡樹脂材２２と接合されている。
【００２７】
このような畳パネル２０は、例えば、畳表２１と発泡樹脂材２２とを準備し、これらを接着剤で接着することにより製造してもよく、後述するように、畳表２１を成形型内に配置し、鋳型内に発泡樹脂を導入して、畳表２１を発泡樹脂材２２の成形時に一体化してもよい。この場合、畳表２１の裏面側から発泡樹脂材の一部の発泡樹脂が接着して固まるので、畳表２１と発泡樹脂材２２との密着性を確保することができる。
【００２８】
木質系床基材３０は、合板からなる長尺状の基材であり、長手方向及び短手方向の周縁には雄実部３５と雌実部３６とが形成されている。さらに木質系床基材３０は、畳パネル２０の対向する周縁に嵌合するように、長手方向にのみ沿って枠部３２が形成されている。すなわち、本実施形態における枠部３２は、畳パネル２０の対向する長手方向の周縁に嵌合するように、一方向に沿って並んで形成された一対の突出部からなる。このような枠部３２を設けることにより、木質系床基材３０の表面には、畳パネル２０を収容する収容凹部３１が形成される。
【００２９】
さらに、この収容凹部３１の底面には、アルミニウム箔の両面に粘着剤が設けられた粘着シート５０が配置されている。ここでは、アルミニウム箔の両面に粘着剤が配置されているが、畳パネル側に粘着剤が設けられているのであれば、収容凹部の底面に接触する、アルミニウム箔の片面側のみ粘着剤を設けることになる。なお、ここでは、粘着シートを用いているが、収容凹部３１の底面に直接、接着剤または粘着剤を塗布してもよい。
【００３０】
このような木質系床基材３０は、雄実部３５及び雌実部３６が形成された長尺状の合板（床材）を準備し、長手方向に沿って、枠部３２及び収容凹部３１が形成されるように、合板の表面を削り取る（刳り貫く）ことにより製造してもよい。また別の製造方法としては、雄実部３５及び雌実部３６が形成された上述した合板よりも薄い長尺状の合板を準備し、この表面に、収容凹部３１が形成されるように、枠部３２を合板の表面に固着してもよい。
【００３１】
このような畳床材セット１０を用いて、畳フロア１の施工を行う。具体的には、まず、図２（ａ）に示すように、木質系床基材３０を床下地面Ｃに敷設し、木質系床基材３０を床下地面Ｃに固定する。この際に、収容凹部３１から木ネジまたは釘などの固定部材４０を床下地面Ｃに対して垂直方向から、木質系床基材３０に貫通させて、固定部材４０を床下地面Ｃに固定する。これにより、木質系床基材３０は、水平方向に余分な荷重が作用しないので、収容凹部３１の底面は、平坦な面を保持することができる。なお、ここでは、床下地面Ｃは、リフォーム前のフローリング（木質系フロア）である。木質系床基材３０を含む畳床材の厚みは、従来の畳の厚みよりも薄いので、リフォーム前のフローリング（木質系フロア）に直接施工することができる。
【００３２】
次に、図２（ｂ）に示すように、短手方向及び長手方向に沿って形成された雄実部３５及び雌実部３６を介して、木質系床基材３０同士を連結するように、床下地面Ｃに敷設し、これらを固定部材４０で固定する。このときに、図３に示すように、周辺フロア６０に合わせて木質系床基材３０を床下地面に敷設した際に、長手方向に沿って木質系床基材３０の双方の枠部３２及び収容凹部３１のそれぞれが、短手方向に沿った連結部分３８を介して連続して形成される。
【００３３】
次に、図２（ｃ）及び図３に示すように、畳パネル２０を枠部３２に嵌合させて、畳パネル２０を収容凹部３１に収容する。このとき、隣接する木質系床基材３０，３０同士の短手方向に沿った連結部分３８を覆うように、木質系床基材３０の連続した収容凹部３１に畳パネル２０を収容する。このとき、畳パネル２０は、収容凹部３１の底面に配置された粘着シート５０に張り付けられて固定される。なお、ここでは、粘着シート５０は、収容凹部３１底面に配置されているが、畳パネル２０の裏面に配置されていてもよい。また、固定部材４０で固定後に、別途、収容凹部３１の底面に、粘着シート５０を配置してもよい。
【００３４】
このようにして、施工された畳フロア１は、図２（ｄ）及び図３に示すように、木質系床基材３０の短手方向に木質系床基材３０，３０同士が連結するように、木質系床基材３０が床下地面Ｃに敷設して固定され、隣接する木質系床基材３０，３０同士の短手方向の連結部分３８を覆うように、木質系床基材３０の双方の収容凹部３１に畳パネル２０が収容される。
【００３５】
これにより、畳パネルの短手方向に沿った継ぎ目と、木質系床基材の短手方向に沿った継ぎ目をずらすことができ、木質系床基材が浮き上がったとしても、畳パネルの浮き上がりを目立たなくすることができる。
【００３６】
また、発泡樹脂材２２が、クッション性ばかりでなく断熱性をも有するので、足に負担が少ないばかりでなく、足裏の体温が奪い難い畳フロア１を得ることができる。
【００３７】
図４は、本発明の第二実施形態にかかる畳床材セットを説明するための模式的斜視図であり、（ａ）は、畳床材セットの模式的斜視図であり、（ｂ）は、その畳床材の模式的斜視図である。第二実施形態に係る畳床材セットは、第一実施形態の畳床材セットに比べて、木質系床基材の構造が異なるのみであるので、他の部分同じ符号を付して、詳細な説明は省略する。
【００３８】
図４（ａ）に示すように、第二実施形態に係る畳床材セット１０Ａの木質系床基材３０Ａは、枠部３２Ａは、畳パネル２０の全周縁に嵌合するように形成されたロの字状の突出部からなり、これにより、木質系床基材３０Ａには、畳パネル２０を収容する収容凹部３１Ａが形成されている。図２及び３に示す施工方法で、これらの畳床セット１０Ａを用いて、畳フロアを施工する。
【００３９】
但し、本実施形態の場合には、図４（ｂ）に示すように、木質系床基材３０Ａの収容凹部３１Ａに、畳パネル２０を収容して畳床材１Ａとし、この畳床材１Ａを床下地面Ｃに敷設してもよい。また、取り扱い性を向上するために、畳床材１Ａの状態で施工現場に畳床材セット１０Ａを持ち込んで、その後、畳パネル２０と、木質系床基材３０Ａとに分解し、図２及び３に示す施工方法で、畳フロアを施工してもよい。
【００４０】
図５は、第一及び第二実施形態に係る畳パネルの変形例を示した模式的断面図であり、（ａ）は、畳パネルの畳表の構造を改良した変形例を示した断面図であり、（ｂ）は、（ａ）の畳パネルにさらに防虫シートを挿入した断面図であり、（ｃ）は、（ｂ）の畳パネルの製造方法を説明するための図である。
【００４１】
図５（ａ）に示すように、畳パネル２０Ａの畳表２１Ａは、発泡樹脂材２２の周縁を巻き込む巻き込み部２１ａが形成されており、この巻き込み部２１ａも発泡樹脂材２２に接合されている。このような巻き込み部２１ａを設けることにより、畳フロアの使用時及び施工時において、畳表２１Ａの周縁のいぐさの編み込部分のほつれを抑えることができる。
【００４２】
さらに、図５（ｂ）に示すように、前記畳表２１Ａと発泡樹脂材２２との間には、例えば布地に防虫剤が塗布された防虫シート２３を挿入してもよい。このような防虫シートとしては、ホウ酸塩シート、ヒバシート、竹炭シートなどを挙げることができる。そして、このような畳パネル２０Ｂは、図５（ｃ）に示すようにして製造される。具体的には、上型７１及び下型７２内に、畳表２１Ａと防虫シート２３とを配置し、イソシアネートと、発泡剤を含有したポリオールとを混合した混合液Ｐを型内に注入し、発泡ウレタン樹脂材（発泡樹脂材２２）が成形される。これにより、畳表２１Ａ、防虫シート２３、及び発泡樹脂材２２を一体成形することができる。
【００４３】
図６は、第一及び第二実施形態に係る畳フロアの施工方法の変形例を示した模式的断面図であり、（ａ）は、木質系床基材に畳パネルを収容する前の断面図であり、（ｂ）は、木質系床基材に畳パネルを収容した後の断面図である。
【００４４】
また、図６に示すように、畳パネルの施工時において、畳パネル２０の周縁の見切りとなる部分を覆うように、断面が楔状の押さえ部材２６を取り付けて、押さえ部材２６と共に畳パネル２０を収容凹部３１に収容してもよい。押さえ部材２６と粘着シート５０により、畳パネル２０の抜け防止を図ることができる。
【００４５】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【００４６】
例えば、第一及び第二実施形態では、畳パネル及び木質系床基材いずれも長尺形状としたが、こられは正方形状であってもよく、敷設すべき床下地面に応じた大きさ及び形状することが好ましい。また、第一実施形態では、長手方向に沿って枠部を形成したが、畳パネルを収容することができるのであれば、短手方向に沿って枠部を形成してもよい。また、床下地面が平坦であり、木質系床材が変形することなくこれを、敷設し固定することができるのであれば、第１の畳床材セットの木質系床基材に畳パネルを収容して畳床材として、これを床下地面に敷設し固定してもよい。
【符号の説明】
【００４７】
１：畳フロア、１Ａ：畳床材、１０，１０Ａ：畳床材セット、２０，２０Ａ，２０Ｂ：畳パネル、２１，２１Ａ：畳表、２２：発泡樹脂材、２３：防虫シート、２６：押さえ部材、３０，３０Ａ：木質系床基材、３１，３１Ａ：収容凹部、３２：枠部（一対の突出部）、３２Ａ：枠部（ロの字状の突出部）、３５：雄実部、３６：雌実部、３８：連結部分、４０：固定部材、５０：粘着シート
【図１】
2011246909.tif 000003
【図２】
2011246909.tif 000004
【図３】
2011246909.tif 000005
【図４】
2011246909.tif 000006
【図５】
2011246909.tif 000007
【図６】
2011246909.tif 000008